(57)【要約】【課題】  再生速度の高倍速化によるＳＮＲ劣化、及び再生信号とＨＦ信号成分の分離困難を克服し、且つ、レーザ雑音を低減し、高倍速再生時にも高い信頼性を有する光ディスク装置を実現すること。【解決手段】  ＨＦ発振器１１からの高周波信号でパルス駆動されたレーザ光を光ディスク１に照射し、光ディスクから反射されたレーザ光を受光する光検出器の出力を電流アンプ１３によって電気的なパルス再生信号に変換する。そのパルス再生信号を、ＡＤ変換回路５０とＤＡ変換回路５１との組によって、時間的に連続した再生信号に変換する。【選択図】  図１
2008217913.tif 000002
【特許請求の範囲】
【請求項１】
レーザ光源と、
前記レーザ光源をパルス駆動する光源駆動部と、
前記レーザ光源から発生されたレーザ光を光ディスクに照射する光学系と、
光ディスクから反射されたレーザ光を受光する光検出器と、
前記光検出器の出力を電気的なパルス再生信号に変換するパルス再生信号変換手段と、
前記パルス再生信号の各パルスに同期して動作するＡＤ変換器と、前記パルス再生信号の各パルスに同期して動作するＤＡ変換器と、低域通過フィルタからなる前記パルス再生信号を時間的に連続した再生信号に変換する連続再生信号変換手段と、
を有することを特徴とする光ディスク装置。
【請求項２】
レーザ光源と、
前記レーザ光源をパルス駆動する光源駆動部と、
前記レーザ光源から発生されたレーザ光を光ディスクに照射する光学系と、
光ディスクから反射されたレーザ光を受光する第１の光検出器と、
前記第１の光検出器の出力を電気的なパルス再生信号に変換する第１のパルス再生信号変換手段と、
前記パルス再生信号の各パルスに同期して動作する第１のＡＤ変換器と、
前記レーザ光源から発生されたレーザ光の一部を、前記第１の光検出器とは別の第２の光検出器と、
前記第２の光検出器の出力を電気的なパルス再生信号に変換する第２のパルス再生信号変換手段と、
前記第１のＡＤ変換器とは別の前記パルス再生信号の各パルスに同期して動作する第２のＡＤ変換器と、
前記パルス再生信号の各パルスに同期して動作する除算器及び乗算器と、
前記パルス再生信号の各パルスに同期して動作するＤＡ変換器と低域通過フィルタからなる前記パルス再生信号から時間的に連続した再生信号に変換する連続再生信号変換手段と、
を有することを特徴とする光ディスク装置。
【請求項３】
さらに、再生系またはパワーモニター系のパルス信号の遅延時間を調整する手段を有することを特徴とする請求項２記載の光ディスク装置。
【請求項４】
さらに、パワーモニター系のパルス振幅の時間平均を演算する手段を有することを特徴とする請求項２記載の光ディスク装置。
【発明の詳細な説明】
【技術分野】
【０００１】
本発明は、光ディスク装置に関し、より詳細には光ディスクから情報を再生する回路に関する。
【背景技術】
【０００２】
ＤＶＤを初めとする現行の光ディスク装置の多くは、その光源として用いている半導体レーザが発する雑音を抑制するために高周波重畳法を採用している。このことは、当業者間では公知のことであるので、以下の記述に必要な事項のみ述べ、それ以上は詳述しない。
【０００３】
特許文献１ないし特許文献３、ならびに非特許文献１に開示された発明に基づき、以下の通り、背景技術について説明する。
【０００４】
高周波重畳法を用いた場合、レーザはパルス発光している。即ち、発光波形は、図２に示すように発光と消灯とを交互に繰り返している。ここで、レーザパルスの間隔（周波数）とそれに対する発光期間との比率（デューティー）は、レーザ雑音が最小になるように調整されるパラメータである。レーザの発光波形が図２のような形状であるので、仮に再生用のフォトダイオード及び電流電圧変換アンプによる帯域制限が皆無であったとすると、再生信号波形は、図３に示すような形状になる。以後、このような再生パルス列からなる信号をパルス再生信号と呼ぶことにする。
【０００５】
ここで、図３中の破線は、仮にレーザを高周波重畳時のレーザパルスのピークと同じ出力で連続発振させた場合に得られる再生信号波形である。つまり、パルス再生信号の上側包絡線の形状は連続光による再生波形となっている。従って、重畳する高周波電流の周波数（ＨＦ(high-frequency)周波数）よりも十分に低い遮断周波数を有する低域通過フィルタにパルス再生信号を通すことにより、所望の再生波形を得ることが出来る。現行の光ディスク装置では、フォトディテクターと電流電圧変換アンプとからなる系及びアナログ等化器の帯域制限により、このことが実現されている。重畳するＨＦ周波数の一例を挙げると、Blu-lay Disc（以下、ＢＤという）システムの場合、400MHz程度が標準的である。これは、専ら使用するレーザの種類と再生光学系の光路長とで決まるので、装置間で大きな差は無いと考えられる。一方基本再生速度（１Ｘ）における再生信号の占める周波数帯の上限は、最短のマーク又はスペース長が２Ｔ（Ｔ：チャネルクロック周期）であることから16.5MHzである。
【０００６】
図４（ａ）に、ディスク容量が２５ＧＢであるＢＤシステムにおける、６倍速再生時の再生信号スペクトルの例を示す。また、図４（ｂ）に、ＨＦレーザパルス列のスペクトルの例を示す。周期信号であるので輝線スペクトルからなる。また、ＨＦ周波数は396MHz、即ち、チャネルクロックと等しく設定している。つまり、ＨＦ周波数は、再生信号スペクトル上限の６倍となっている。この例では、レーザパルスのデューティーは25％としている。デューティーによって各次数の輝線スペクトルの強度比は変化する。そして、図４（ｃ）にパルス再生信号のスペクトルを示す。パルス再生信号の波形は、図３中の破線で示した再生波形と周期的なＨＦパルス列との積であるので、そのスペクトルは、再生信号スペクトルとパルス光のスペクトルとの畳み込みとなるからである。パルス再生信号スペクトルの特徴は、高次の再生信号スペクトルの強度がベースバンドの再生信号スペクトルの強度に匹敵し、かつ、輝線状のスペクトルを有することである。このために、フォトディテクターと電流電圧変換アンプとからなる系及びアナログ等化器の帯域制限により再生信号、即ち、ベースバンドの再生信号スペクトルを取り出そうとすると再生信号の上限周波数とＨＦ周波数とを十分に離す必要性を生じている。
【０００７】
光ディスク装置で光源として利用されている半導体レーザは、安定に欠けレーザ雑音が大きいという課題を有していた。これを克服するために使用されているのが高周波重畳法であり、適切な条件でレーザをパルス発光させることにより、レーザ雑音を抑圧することを可能としている。
【０００８】
高周波重畳法では、レーザ雑音をある程度抑圧することが可能であるものの、再生信号には依然として無視できない程度のレーザ雑音成分が残留している。この残留レーザ雑音をアナログ信号処理で除去することも試みられており、特許文献４や非特許文献２に詳しく開示されている。これは、十分に広帯域なパワーモニターでレーザ雑音波形を観測し、それを再生信号から差し引くというものである。
【０００９】
図５に、この方式によるレーザ雑音除去回路の構成概略を示す。パワーモニターは、図５に示すように、レーザの出力光の一部を主光路からビームスプリッター４２で取り出し、集束レンズ８を用いてフォトダイオード９上に収束されたレーザの強度を計測するものである。従来、パワーモニターは、平均的なレーザ出力を観測するために設けられることが多く、そのため、その帯域は、再生信号帯域と比して狭いのが普通であった。この公知例では、フォトダイオードとその後の電流アンプの帯域とを十分に広くすることにより、レーザの出力計測のみでなく、レーザ雑音の波形も観測可能としている。
【００１０】
再生信号中のレーザ雑音は、単純に再生信号にレーザ雑音が重畳されているわけではない。即ち、再生信号中のレーザ雑音振幅がマークとスペースとで異なっている。これは、レーザ雑音が実態としては、光源の強度変調であることに起因している。この影響を打消すために、この公知例では、パワーモニターで観測したレーザ雑音を単純に再生信号から差し引くのではなく、図５に示すようなアナログ演算を行う。まず、再生信号とパワーモニター出力を低域通過フィルタ１５に通したものとをアナログ乗算器４０を用いて乗じる。次に、パワーモニター出力を高域通過フィルタ４１に通したものと再生信号とをアナログ乗算器で乗じる。これを先の乗算結果から減算器３０を用いて減じる。これにより再生信号とパワーモニター出力との振幅差及び記録マーク依存性を解消し、レーザ雑音が除去された再生信号を得ている。
【００１１】
【特許文献１】特開平８−７７６４０号公報
【特許文献２】特開平８−２２１７５８号公報
【特許文献３】特開２００２−２３０８１４号公報
【特許文献４】特開２００２−１８３９７０号公報
【非特許文献１】Ｂ．Ｐ．ラシィ 著「詳解ディジタル・アナログ通信方式  上巻」（1985年、ＨＢＪ出版局）第223頁
【非特許文献２】小林  基、他  「Blu-ray Disc光学系における信号処理技術」  Technical Report of IEICE CPM2003-100 (2003-09)  第２９項−第３４項
【発明の開示】
【発明が解決しようとする課題】
【００１２】
光ディスク装置の基本的な性能の一つである再生倍速の向上は、恒常的に求められていて、ＢＤシステムについても同様である。現行（2007年現在）のＢＤシステムの規格では２倍速までが定められている。今後のトレンドとして、当然、更なる高倍速化が要求されることは明らかである。ＢＤシステムの場合、信頼性を十分確保できるディスクの回転速度がＤＶＤと同等の10000rpm程度であるとすると、１２倍速まで進展する可能性があるということになる。
【００１３】
２倍速再生の規格では、背景技術の項で述べたパルス再生信号から連続した再生信号を得る方式が前提になっている。しかし、今後の更なる高倍速化に際しては、この方式を用いたシステムでは、少なくとも次の二つの問題点に直面することになる。第１は、再生信号帯域の拡大に伴うＳＮＲ（signal to noise ratio：信号対雑音比）の劣化である。第２は、再生信号帯域の拡大によってＨＦ周波数と再生信号帯域の接近に伴い、ベースバンド帯の再生信号と高次のスペクトルの分離が困難になる点である。これらの内、第１の問題点は、如何なる方式でも高倍速化に際して直面する問題である。第２の問題点は、高周波重畳を採用しているシステムで生じるものである。
【００１４】
第２の問題点について詳述する。背景技術の項でも述べたように、パルス再生信号スペクトルの特徴は、高次の再生信号スペクトルの強度がベースバンドの再生信号スペクトルの強度に匹敵し、かつ、輝線状のスペクトルを有することで、このために、再生信号の上限周波数とＨＦ周波数とが接近すると、両者の分離が困難になる。ＨＦ周波数を高くすることにより両者の分離を図ることが考えられるが、ＨＦ周波数はレーザ雑音低減のためのパラメータであり、その値には必然性があり、単純に高くした場合、最適な条件からの離反が大きくなるので限界がある。背景技術の項で述べたように、実用的なＨＦ周波数はＢＤシステムの場合、概ね400MHz前後になる。また、ＨＦ周波数を高くすることは消費電力の観点からも得策とは言えない。
【００１５】
また、背景技術の項で述べたレーザ雑音除去技術も再生の高速化に伴い問題を生じる。即ち、上記の公知例では、再生信号及びパワーモニター出力ともに従来の再生信号と同様の回路を用いている。即ち、フォトダイオード及び電流アンプの低域通過フィルタ特性を用いてパルス上の再生信号及びパワーモニター信号を連続信号に変換することを前提としている。従って、再生信号帯域が広がり、それに見合う帯域のレーザ雑音を除去しようとした場合、パワーモニター信号からＨＦ信号を十分に減衰させるのが困難になる状況は再生信号の場合と同様である。仮に、上記公知例においてＨＦ信号成分の減衰が不十分な場合、残留ＨＦ成分により周波数変調を受けるため信号に歪みを生じる。
【００１６】
以上をまとめると、本発明が解決しようとしている課題は、再生速度の高倍速化によるＳＮＲ劣化、及び、再生信号とＨＦ信号成分との分離困難を克服し、且つ、レーザ雑音を低減し、高倍速再生時にも高い信頼性を有する光ディスク装置を実現することである。
【課題を解決するための手段】
【００１７】
上記課題を解決するために、本発明に基づく光ディスク装置においては、パルス再生信号をその振幅を損なうことなく連続信号に変換する手段を有する。また、ＨＦ信号に同期して、その周期毎にパルス再生信号の最大値の捕捉及び保持を行う手段を有する。また、前記保持された値をデジタル変換する手段を有する。また、パルス再生信号のスペクトルに含まれる歪成分中、輝線スペクトルを抑圧する手段を有する。また、レーザ駆動電流に重畳する高周波信号をチャネルクロックと完全に独立して生成する手段を有する。また、レーザ雑音を除去する手段を有する。
【００１８】
パルス再生信号を連続信号に変換する手段としては、例えばＡＤ変換器とＤＡ変換器との組がある。ＡＤ変換器とＤＡ変換器との組を用いることにより、パルス再生信号の高周波スペクトルにＨＦ信号に由来して現れる輝線、及び輝線以外の歪成分を効果的に抑制することができ、低域通過フィルタを用いた歪成分の除去が容易になる。
【００１９】
レーザ雑音を除去する手段としては、パワーモニター系のパルス信号からレーザ雑音によるパルス再生信号振幅の揺らぎを算出する演算回路を有する。
【発明の効果】
【００２０】
本発明により、光ディスク装置の再生信号品質が大幅に向上する。また、レーザ雑音低減のための高周波重畳条件と高速再生との両立が容易になる。
【発明を実施するための最良の形態】
【００２１】
以下、図面を参照して本発明の実施の形態を説明する。
【実施例１】
【００２２】
図１は、本発明による光ディスク装置の一例を示す模式図である。尚、この図では、以下の説明に必須でない部分は省略しているので、主に、ピックアップ部が描かれている。本実施例は、パルス再生信号を連続波形に変換する手段として、ＡＤ(analog to digital)変換器５０とＤＡ(digital to analog)変換器５１とを用いていることを特徴としている。尚、パルス再生信号は、時間的に離散的なパルス列から構成されており、各パルスの時刻とピーク値とに信号の本質がある。それに対し、ここで言う連続信号とは、パルス再生信号のように本質的に時間的に離散的な成分（パルス）からのみ構成されているのではないという意味であり、一般的な意味における連続信号よりも広い意味を有している。よって、ある短い期間において、突然信号振幅が０になるような、信号が連続的に変化していない箇所が存在していても、ここでは連続信号と呼んでいる。
【００２３】
重畳する高周波信号（ＨＦ信号）は、ＨＦ発振器１１で発生させ、レーザドライバ１０へ入力される。レーザドライバは、所望の平均レーザパワー、ピークパワー、デューティーが得られるようなレーザ駆動電流を発生させ、レーザダイオード３へ入力する。また、レーザの平均出力が一定になるようにレーザ駆動電流の制御も行う。レーザダイオードの出力光強度は、図２に示したような時間変化をする。
【００２４】
レーザ光は、コリメータレンズ４で平行光に変換され、偏光ビームスプリッター５と1/4波長板６を通過した後、対物レンズ７によってディスク１の記録膜面上に焦点を結ぶ。記録膜面上でレーザ光は反射され、記録マークとスペースに応じた強度変化が重畳された反射パルスレーザ列となる。そのレーザ光強度の時間変化は、図３に示したパルス再生信号に一致したものである。反射パルスレーザ列は、元の経路を偏光ビームスプリッター５まで戻ると、そこで反射され集束レンズ８によってフォトダイオード９上に集光され電流に変換される。この電流は、電流アンプ１３によって電圧信号に変換された後にＡＤ変換器５０でデジタル信号に変換される。そして、ＤＡ変換器５１で再びアナログ信号に変換される。
【００２５】
この時のＡＤ変換のタイミングは、パルスに同期していて、且つ、パルスのピークの値を得るようにする必要がある。これを実現するために、ＨＦ発振器の出力を、可変遅延線１２を用いて、その位相が上記条件を満たすように調整してＡＤ変換器及びＤＡ変換器の駆動クロックとして用いている。尚、背景技術の項で述べたように、図３は再生用のフォトダイオード及び電流電圧変換アンプによる帯域制限が皆無である場合であるが、これらによる帯域制限がある場合には、その程度に依存して個々のパルスの広がりとピーク値の低下とを生じるものの、一定以上の帯域があれば、図３に示した信号とほぼ等しい信号を得ることができる。ＤＡ変換器の出力は階段状の波形であるので、低域通過フィルタ１５を用いて不要な高調波成分を除去して滑らかな再生信号を得る。
【００２６】
信号変換の様子をもう少し詳しく説明する。説明を簡単にするために、ここではＡＤ変換器、ＤＡ変換器共に理想的な動作をするものとして説明する。
【００２７】
図６は、パルス再生信号と図1のＤＡ変換器出力との関係を示したもので、破線がパルス再生信号、一点鎖線が再生信号、実線がＤＡ変換器出力をそれぞれ示す。ＡＤ変換器出力がパルス再生信号の各パルスの頂点を結ぶ階段状信号になっている。尚、図６では、説明のためにＤＡ変換器出力がパルス再生信号と同位相で描かれているが、実際には、ＡＤ変換された結果がＤＡ変換されて出力されるまでには、ＨＦクロックの１周期分の遅延があるので、ＤＡ変換器出力はパルス再生信号に対してＨＦクロックの１周期分遅れた階段状信号となっている。
【００２８】
図７（ａ）は、図４に示したパルス再生信号スペクトルと同一条件におけるＤＡ変換器出力のスペクトルの例を示したものである。図４（ｃ）のパルス再生信号スペクトルと比べると、ＤＡ変換器出力のスペクトルには大きな特徴が２つある。一つは、高調波スペクトル（歪成分）に輝線スペクトルを含まないことである。これは、低域通過フィルタで高周波重畳の影響を取り除く際に決定的に有利である。即ち、パルス再生信号ではＨＦ周波数における輝線スペクトルが再生信号スペクトル強度よりも約30dB強いので、その分、低域通過フィルタに対して強い抑圧比が要求されるからである。もう一つは、輝線スペクトル以外の高調波スペクトル（歪成分）がパルス再生信号よりも早く減衰することで、特に問題になる２次の成分が基本波に比べると20dB低いのに対し、パルス再生信号の場合は２次の成分強度は基本スペクトルとほぼ同じである。
【００２９】
以上の特徴により、低域通過フィルタを用いてＤＡ変換器出力から歪成分を除去するのは、パルス再生信号の場合よりも遥かに容易である。実際に、図７（ａ）のＤＡ変換器出力スペクトルに遮断周波数150MHzの６次ベッセル低域通過フィルタを作用させた信号スペクトルを図７（ｂ）に示す。比較的に緩やかな特性のフィルタであるにもかかわらず歪成分はほぼ完全に除去されている。
【００３０】
図１で低域通過フィルタの出力は、従来の光ディスク装置におけるピックアップ出力に相当するものである。従って、これ以降の再生信号の扱い方は従来のドライブと同様にすれば良い。
【実施例２】
【００３１】
図８は、本発明に基づいたレーザ雑音を抑圧した光ディス装置の構成概略図である。この実施例の特徴は、レーザのパワーモニターも実施例１と同様に広帯域化した上にＤＡ変換器を用いて、その振幅を計測し、その結果を用いてレーザ雑音除去を行う点にある。
【００３２】
重畳する高周波信号（ＨＦ信号）は、ＨＦ発振器１１で発生させ、レーザドライバ１０へ入力される。レーザドライバは、所望の平均レーザパワー、ピークパワー、デューティーが得られるようなレーザ駆動電流を発生させ、レーザダイオード３へ入力する。また、レーザドライバは、レーザの平均出力が一定になるようにレーザ駆動電流の制御も行う。この時、レーザダイオードは、図２に示したようなパルス発光をしている。
【００３３】
レーザ光は、コリメータレンズ４で平行光に変換され、ビームスプリッター４２で一部の光がパワーモニター系へと分岐される。パワーモニター系の動作は後で述べる。ビームスプリッターを通過した光は、更に偏光ビームスプリッター５と1/4波長板６を通過した後、対物レンズ７によってディスク１の記録膜面上に焦点を結ぶ。記録膜面上でレーザ光は反射され、記録マークとスペースに応じた強度変化が重畳された反射パルスレーザ列となる。そのレーザ光強度の時間変化は、図３に示したパルス再生信号に一致したものである。反射パルスレーザ列は、元の経路を偏光ビームスプリッター５まで戻ると、そこで反射され、集束レンズ８によってフォトダイオード９上に集光され電流に変換される。この電流は、電流アンプ１３によって電圧信号に変換された後にＡＤ変換器５０でデジタル信号に変換される。この時のＡＤ変換のタイミングは、パルスに同期していて、且つ、パルスのピークの値を得るようにする必要がある。これを実現するために、ＨＦ発振器の出力を、可変遅延線１２を用いて、その位相が上記条件を満たすように調整してＡＤ変換器の駆動クロックとして用いている。ここまでは、実施例１の動作と同様である。
【００３４】
次に、パワーモニター系の動作について説明する。パワーモニター系へ分岐された光は、フォトディテクター９上に集光され、ここで電流信号に変換される。電流信号は、電流アンプ１３によって電圧信号に変換される。フォトディテクター及び電流アンプの帯域は、ＨＦ周波数と比べて十分に広いものを使用している。これにより、再生系同様にレーザの各発光パルスを観測することが可能となっている。各発光パルスがＡＤ変換器５０によってデジタル信号に変換される。この時のＡＤ変換器の駆動クロックは、ＨＦ発振器出力をパルスのピークを捕捉できるように可変遅延器１２で位相を調整している点も再生系の場合と同様である。但し、再生系とパワーモニター系とでは光路長も異なれば両者の回路の配置も物理的に離れているので、再生系で観測されるパルス列とパワーモニター系で観測されるパルス列との間には位相差が生じている。ＡＤ変換後の処理を行うためには両者の位相を揃える必要があるので、ここでは、パワーモニター系のＡＤ変換器へ供給するクロックの位相を、可変遅延線をもう一つ使うことによって調整している。
【００３５】
パワーモニター系で観測される個々のパルスの高さは、レーザの個々のパルス発光強度に比例している。従来、レーザの発光強度は、これらのパルスの高さの平均が目標値に一致するように制御されている。本実施例でもレーザの平均的な出力制御は、これらのパルスの平均的な高さが一定になるようにレーザの駆動電流を制御している。その方法に関しては、従来から行われているものと同様であるので詳述しない。
【００３６】
図９の上段の図は、パワーモニター系で観測されるパルス列を模式的に表したものである。レーザは、ある目標の強度のパルスで発光することが求められている。その目標値をτ（タウ）とする。実際には、図９に示すように各パルスは目標値から外れた強度で発光する。これが光ディスク装置の再生におけるレーザ雑音の根源である。即ち、パルスの発光強度が目標値から外れているので、当然、ディスクの記録面から反射されてくるパルスの強度も発光強度に比例して変動するので、変動が無い場合の再生信号とは差異を生じる。この差異が光ディスク装置の再生におけるレーザ雑音に相当する。その様子を図９の中段の図に示す。破線で示されたパルス列及び個々のパルス頂点を滑らかに結ぶ破線が、レーザ雑音が無い場合のパルス再生信号と再生信号をそれぞれ現す。同様に、実線で示されたパルス列及び個々のパルス頂点を滑らかに結ぶ実線が、レーザ雑音が有る場合のパルス再生信号と再生信号をそれぞれ現す。
【００３７】
図８における除算器５２を用いてパルス強度の目標値τをパワーモニターのＡＤ変換器出力（デジタル化されたパルス強度の値、Ｐで表す）で除算する。この除算の結果は、実際の発光強度に対する目標発光強度の比である（τ/Ｐを図９の下段に示す）。よって、τ/Ｐを、乗算器５３を用いてパルス再生信号に乗じることにより、実際のレーザ発光強度が目標値から外れている影響をパルス毎にキャンセルしている。これは、個々のパルス強度をデジタル化することにより、パルス毎の除算及び乗算を確実に行えるので可能となったことである。乗算器の出力は、ＤＡ変換器５１に入力されアナログ信号に変換される。ＤＡ変換器の出力は、レーザ雑音が除去された階段状の再生信号である。これを低域通過フィルタ１５に通すことにより、不要な高調波成分を除去し、滑らかな再生信号を得る。
【００３８】
尚、前述のように、ビームスプリッターで再生系とパワーモニター系とに分けられた同一パルスに由来するパルス信号同士は、同時刻に乗算器に到達するのが望ましい。しかし、通常、再生系の方が、光路が長くなるために、この条件は一般に満たされない。但し、再生系とパワーモニター系とで乗算器へのパルス到達時刻差が小さい場合には、上で述べたようにパワーモニター系においてＡＤ変換器の駆動クロックの位相を調整する等すれば、影響を無くすことができる。仮に、両系間のパルス到達時刻差が大きく、同一発光に由来するパルス同士での乗算が困難な場合は、図１０に示すように遅延調整器５４を挿入し、パワーモニター系の信号を適当な時間遅延させれば良い。尚、遅延調整器を挿入する位置は、ＡＤ変換器と乗算器の間であれば良く、除算器の後でも差し支えない。
【００３９】
図８で低域通過フィルタの出力は、従来の光ディスク装置におけるピックアップ出力に相当するものである。従って、これ以降の再生信号の扱い方は従来のドライブと同様にすれば良い。
【実施例３】
【００４０】
パワーモニターにレーザの出射光を分岐すると、当然その分ディスクへ到達する光量の比率が低下する。再生専用の装置の場合は、このことは特に問題とならない。しかし、記録型の光ディスク装置では、記録に使用可能な光の量が低下するので、パワーモニターに分岐可能な光量の比率には限界がある。一方、パワーモニターに分岐させる光量が少ないと、アンプ雑音などの影響でパワーモニター系の信号のＳＮＲ(signal to noise ratio)が低下し、レーザ雑音除去の精度を低下させる。
【００４１】
この問題を回避する一つの方法は、記録時と再生時とでビームスプリッターの分岐比を変更することである。これは、例えば液晶素子を使用することで実現可能である。しかし、液晶素子の応答速度は遅いために、光ディスク装置の記録と再生の動作切り替えに要する時間を律速してしまうという別の問題を生じる。
【００４２】
一般に、レーザ雑音が低周波成分をより多く含む。従って、τ/Ｐの結果をそのまま使用するのではなく、複数時刻に渡るτ/Ｐの値の平均を用いることによりレーザ雑音の高周波成分の除去を犠牲にする代わりに、より影響の大きいレーザ雑音の低周波成分の除去精度を維持することが考えられる。
【００４３】
図１１に記録型光ディスク装置でパワーモニター系へ分岐できる光量に制限がある場合でも、パワーモニター系のパルス振幅計測精度の低下を防ぎ、レーザ雑音除去の精度を維持可能なレーザ雑音除去回路の構成を示す。回路の構成は、実施例２の図８中に記載されているレーザ雑音除去回路において、移動平均器５５が除算器と乗算器との間に挿入されていることに特徴がある。即ち、τ/Ｐの複数時刻に渡る平均値を求め、これを用いてレーザ雑音除去演算を行っている。尚、τ/Ｐの平均を演算する手段としては、移動平均器のほかに積分器などを使用しても同様な効果を得ることができる。
【００４４】
図１０及び１１において、低域通過フィルタの出力は、従来の光ディスク装置におけるピックアップ出力に相当するものである。従って、これ以降の再生信号の扱い方は従来のドライブと同様にすれば良い。
【図面の簡単な説明】
【００４５】
【図１】本発明によるディスク装置の一例を示す模式図。
【図２】高周波重畳時のレーザ発光の様子を説明する図。
【図３】パルス再生信号の定義を説明する図。
【図４】パルス再生信号のスペクトルを示す図。
【図５】アナログ乗算器を用いたレーザ雑音除去回路の構成を示す図。
【図６】パルス再生信号と再生信号とＡＤ変換器出力の関係を示す図。
【図７】ＤＡ変換器出力及び低域通過フィルタ出力のスペクトルの関係を示す図。
【図８】デジタル演算型レーザ雑音除去回路を用いた光ディスク装置の構成を示す図。
【図９】レーザ雑音と再生信号の関係を説明する図。
【図１０】遅延調整器を挿入したレーザ雑音除去回路の例を示す図。
【図１１】移動平均器を挿入したレーザ雑音除去回路の例を示す図。
【符号の説明】
【００４６】
1：ディスク、３：レーザダイオード、４：コリメータレンズ、５：偏光ビームスプリッター、６：1/4波長板、７：対物レンズ、８：集束レンズ、９：フォトダイオード、１０：レーザドライバ、１１：ＨＦ発振器、１２：可変遅延線、１３：電流アンプ、４０：アナログ乗算器、４１：高域通過フィルタ、４２：ビームスプリッター、５０：ＡＤ変換器、５１：ＤＡ変換器、５２：除算器、５３：乗算器、５４：遅延調整器、５５：移動平均器、５６：アナログ等化器。
【図１】
2008217913.tif 000003
【図２】
2008217913.tif 000004
【図３】
2008217913.tif 000005
【図４】
2008217913.tif 000006
【図５】
2008217913.tif 000007
【図６】
2008217913.tif 000008
【図７】
2008217913.tif 000009
【図８】
2008217913.tif 000010
【図９】
2008217913.tif 000011
【図１０】
2008217913.tif 000012
【図１１】
2008217913.tif 000013